(57)【特許請求の範囲】
【請求項１】
複数系統の音声信号を加算して複数系統から出力する音声信号加算装置において、
前記複数系統の音声信号をそれぞれ入力する複数の入力系統と、
前記複数の入力系統の音声信号を複数の組合せで加算する複数の第１の加算手段と、
前記第１の加算手段から出力される複数系統の音声信号の各々の大きさを調整する複数の出力調整手段と、
前記複数の出力調整手段から出力される複数系統の音声信号を出力する複数の出力系統と、
前記複数の出力調整手段から出力される少なくとも１つの系統の音声信号を他の系統の音声信号と加算する第２の加算手段と、を具備し、
前記第２の加算手段は、前記複数の出力調整手段の１つの系統と他の系統とを接続するスイッチであることを特徴とする音声信号加算装置。
【請求項２】
前記複数の入力系統の音声信号の各々の大きさを調整する複数の入力調整手段を備えたことを特徴とする請求項１記載の音声信号加算装置。
【請求項３】
前記スイッチのＯＮ／ＯＦＦ状態の組合せの各々に対応したパターンを制御するパターン切換え回路を備えことを特徴とする請求項１記載の音声信号加算装置。
【請求項４】
前記パターン切換え回路は、外部回路により制御されることを特徴とする請求項３記載の音声信号加算装置。
【請求項５】
前記外部回路は、前記複数の入力系統に入力される前記複数系統の音声信号を制御する他の外部回路に含まれる回路、または前記複数系統の音声信号を制御する他の回路から指示を受ける回路であることを特徴とする請求項４記載の音声信号加算装置。
【発明の詳細な説明】
【０００１】
【発明の属する技術分野】
本発明は、目的や内容の異なる複数の音声にそれぞれ対応した複数の音声信号を、対応する複数の入力系統に入力し、これらを加算（ミキシング）して１つ以上の信号系列として取り出し、これら１つ以上の信号系列の音声信号を、それぞれ対応した１つ以上の出力系統に出力する音声信号加算装置に関する。
【０００２】
【従来の技術】
従来、音声信号加算装置では、目的や内容の異なる複数の音声（例えば、肉声等のアナウンスと、音楽等のコンテンツ）に対応する音声信号を、それぞれ別々の入力系統に入力したものを加算（ミキシング）して、１つ以上の信号系列として取り出し、これら１つ以上の信号系列の音声信号を、それぞれ対応した１つ以上の出力系統に出力しているが、この加算（ミキシング）方法は、固定的であり、変更することができなかった。従って、異なる加算方法が必要となる場合は、複数の音声信号加算装置を使用していた。
【０００３】
図３は、従来の音声信号加算装置の回路構成を示す回路図である。図３に示す従来の音声信号加算装置では、音楽等のコンテンツを内容とする音声信号９１１が、入力ボリューム９３１を含む入力系統を介してメインＢＵＳ９４１と天井ＢＵＳ９４２の双方に供給されている。同様に、音楽等のコンテンツを内容とする音声信号９１２が、入力ボリューム９３２を含む入力系統を介してメインＢＵＳ９４１と天井ＢＵＳ９４２の双方に供給されている。
【０００４】
他方、肉声等でアナウンスされた内容を含む音声信号９２１は、入力ボリューム９３３を含む入力系統を介してメインＢＵＳ９４１と天井ＢＵＳ９４２の双方に供給されている。同様に、肉声等でアナウンスされた内容を含む音声信号９２２は、入力ボリューム９３４を含む入力系統を介してメインＢＵＳ９４１と天井ＢＵＳ９４２の双方に供給されている。
【０００５】
また、メインＢＵＳ９４１の音声信号は、出力ボリューム９５１を含む出力系統を介してメイン出力９６１として出力されている。同様に、天井ＢＵＳ９４２の音声信号は、出力ボリューム９５２を含む出力系統を介して天井出力９６２として出力されている。
【０００６】
この場合、４つの入力系統の音声信号は、全て加算されて、２つの出力系統から、加算後の同じ音声信号として出力されることになる。
【０００７】
図４は、従来の音声信号加算装置の他の回路構成を示す回路図である。図４に示す従来の音声信号加算装置では、音楽等のコンテンツを内容とする音声信号９１１が、入力ボリューム９３１を含む入力系統を介してメインＢＵＳ９４１にのみ供給される。同様に、音楽等のコンテンツを内容とする音声信号９１２が、入力ボリューム９３２を含む入力系統を介してメインＢＵＳ９４１にのみ供給される。
【０００８】
他方、肉声等でアナウンスされた内容を含む音声信号９２１は、入力ボリューム９３３を含む入力系統を介して天井ＢＵＳ９４２にのみ供給される。同様に、肉声等でアナウンスされた内容を含む音声信号９２２は、入力ボリューム９３４を含む入力系統を介して天井ＢＵＳ９４２にのみ供給される。
【０００９】
また、メインＢＵＳ９４１の音声信号は、出力ボリューム９５１を含む出力系統を介してメイン出力９６１として出力されている。同様に、天井ＢＵＳ９４２の音声信号は、出力ボリューム９５２を含む出力系統を介して天井出力９６２として出力されている。
【００１０】
この場合、音声信号９１１と音声信号９１２のみが加算されてメイン出力９６１として出力され、また、音声信号９２１と音声信号９２２のみが加算されて天井出力９６２として出力されることになる。
【００１１】
【発明が解決しようとする課題】
しかし、前述のとおり、従来の音声信号加算装置は、加算（ミキシング）方法は、固定的であり、変更することができないので、柔軟性に欠けるといった問題があった。
【００１２】
また、技術的な問題としても、例えば、図３に示す従来の音声信号加算装置では、出力ボリューム９５１の操作が、それぞれ全ての入力系統の音声信号（すなわち、音声信号９１１，９１２，９２１，９２２）の大きさを一斉に増減してメイン出力９６１として出力する結果となり、同様に、出力ボリューム９５２の操作が、それぞれ全ての入力系統の音声信号の大きさを一斉に増減して天井出力９６２として出力する結果となるため、いずれの場合も、肉声等でアナウンスされた内容を含む音声信号９２１と、音楽等のコンテンツを内容とする音声信号９１２との間のバランスを調整することができないという問題があった。
なお、この問題は、入力ボリューム９３１〜９３４を使い分けることによって一応は解決することができるが、音声信号加算装置の操作者は、個数が多くて操作に手間が掛かるのが現状である。
【００１３】
また、図４に示す従来の音声信号加算装置では、音声信号９１１と音声信号９１２は加算されてメイン出力９６１として出力され、音声信号９２１と音声信号９２２は加算されてメイン出力９６２として出力されるので、全ての入力系統の音声信号（すなわち、音声信号９１１，９１２，９２１，９２２）を加算してメイン出力９６１及び天井出力９６２とすることができないといった問題があった（但し、この場合は、肉声等でアナウンスされた内容を含む音声信号９２１と、音楽等のコンテンツを内容とする音声信号９１２との間のバランスを出力ボリューム９５１，９５２を操作して調整することが可能である）。
【００１４】
さらに、図３に示す従来の音声信号加算装置と、図４に示す従来の音声信号加算装置では、肉声等でアナウンスされた内容を含む音声信号９２１と、音楽等のコンテンツを内容とする音声信号９１２との間のバランスを調整する方法が統一されていないので（図３の場合は入力ボリュームの操作、図４の場合は入力ボリュームと出力ボリュームの操作）、装置が変わった場合の操作性に影響があった。
【００１５】
本発明は、上述した事情に鑑みてなされたもので、入力系統と出力系統との接続方法を多様化し、かつ操作が簡単な音声信号加算装置を提供することを目的としている。また、本発明は、出力側においても出力される音声信号の大きさの調整及び出力される音声信号の大きさの系統間のバランシングが可能な音声信号加算装置を提供することを目的とする。
【００１６】
【課題を解決するための手段】
本発明に係る音声信号加算装置は、上述した目的を達成するために、前記複数系統の音声信号をそれぞれ入力する複数の入力系統と、前記複数の入力系統の音声信号を複数の組合せで加算する複数の第１の加算手段と、前記第１の加算手段から出力される複数系統の音声信号の各々の大きさを調整する複数の出力調整手段と、前記複数の出力調整手段から出力される複数系統の音声信号を出力する複数の出力系統と、前記複数の出力調整手段から出力される少なくとも１つの系統の音声信号を他の系統の音声信号と加算する第２の加算手段と、を具備したことを特徴とし、これにより、入力系統と出力系統との接続方法を多様化し、かつ出力側においても出力される音声信号の大きさの調整及び出力される音声信号の大きさの系統間のバランシングが可能な音声信号加算装置を実現している。
【００１７】
また、前記複数の入力系統の音声信号の各々の大きさを調整する複数の入力調整手段を備えたことを特徴とし、これにより、入力側においても音声信号の大きさの調整及び入力される音声信号の大きさの入力系統間のバランシングが可能な音声信号加算装置を実現している。
【００１８】
また、前記第２の加算手段は、前記複数の出力調整手段の１つの系統と他の系統とを接続するスイッチであることを特徴とし、これにより、簡単な操作で入力系統と出力系統との接続方法を多様化できるようにし、かつコストの安い音声信号加算装置を実現している。
【００１９】
また、前記スイッチのＯＮ／ＯＦＦ状態の組合せの各々に対応したパターンを制御するパターン切換え回路を備えたことを特徴とし、これにより、簡単な操作で実際に高い頻度で使用される使用形態に迅速に対応することができる音声信号加算装置を実現している。
【００２０】
また、前記パターン切換え回路は、外部回路により制御されることを特徴とし、これにより、リモートコントロール可能な音声信号加算装置を実現している。
【００２１】
さらに、前記外部回路は、前記外部回路は、前記複数の入力系統に入力される前記複数系統の音声信号を制御する他の外部回路に含まれる回路、または前記複数系統の音声信号を制御する他の回路から指示を受ける回路であることを特徴とし、これにより、入力系統に入力される音声信号の処理に最適な内部回路を前記音声信号が送出される直前のタイミングとマッチングさせて再構成することができる音声信号加算装置を実現している。
【００２２】
【発明の実施の形態】
以下、図面を参照して本発明の音声信号加算装置について説明する。
図１は、本発明の一実施の形態に係る音声信号加算装置の回路構成を示す回路図である。図１に示す音声信号加算装置は、音楽等のコンテンツを内容とする音声信号１１を入力する入力系統において入力信号を調整する入力ボリューム３１（入力調整手段）と、音楽等のコンテンツを内容とする音声信号１２を入力する入力系統において入力信号を調整する入力ボリューム３２（入力調整手段）と、肉声等でアナウンスされた内容を含む音声信号２１を入力する入力系統において入力信号を調整する入力ボリューム３３（入力調整手段）と、肉声等でアナウンスされた内容を含む音声信号２２を入力する入力系統において入力信号を調整する入力ボリューム３４（入力調整手段）と、音声信号１１を入力する入力系統と音声信号１２を入力する入力系統とを加算するメインＢＵＳ４１（第１の加算手段）と、音声信号２１を入力する入力系統と音声信号２２を入力する入力系統とを加算する天井ＢＵＳ４２（第１の加算手段）と、メインＢＵＳ４１上の信号をメイン出力６１として出力する出力系統において出力信号を調整する出力ボリューム５１（出力調整手段）と、天井ＢＵＳ４２上の信号を天井出力６２として出力する出力系統において出力信号を調整する出力ボリューム５２（出力調整手段）と、メイン出力６１を天井出力６２にも加算するためのスイッチＳＷ１（第２の加算手段）と、天井出力６２をメイン出力６１にも加算するためのスイッチＳＷ２（第２の加算手段）とを具備する。
【００２３】
以下、図１に示す音声信号加算装置の機能を説明する。入力ボリューム３１を介した音声信号１１と、入力ボリューム３２を介した音声信号１２は、第１の加算手段であるメインＢＵＳ４１上で加算される。また、入力ボリューム３３を介した音声信号２１と、入力ボリューム３４を介した音声信号２２は、第１の加算手段である天井ＢＵＳ４２上で加算される。
【００２４】
メインＢＵＳ４１上の音声信号は、出力ボリューム５１を介して常にメイン出力６１として出力される。また、天井ＢＵＳ４２上の音声信号は、出力ボリューム５２を介して常に天井出力６２として出力される。
【００２５】
第２の加算手段であるスイッチＳＷ１がＯＮ（導通）の場合に限り、メインＢＵＳ４１上で加算された音声信号（音楽等のコンテンツを内容とする音声信号）は、出力ボリューム５１を介して天井出力６２に加算されて出力される。また、第２の加算手段であるスイッチＳＷ２がＯＮ（導通）の場合に限り、天井ＢＵＳ４２上で加算された音声信号（肉声等でアナウンスされた内容を含む音声信号）は、出力ボリューム５２を介してメイン出力６１に加算されて出力される。
【００２６】
つまり、スイッチＳＷ１，ＳＷ２がいずれもＯＦＦ（遮断）の場合には、この音声信号加算装置は、図４に示す従来の音声信号加算装置と実質的に同じ装置として動作する。従って、音楽等のコンテンツを内容とする音声信号と、肉声等でアナウンスされた内容を含む音声信号との大きさの調整（バランス）は、図４に示す従来の音声信号加算装置と同様に、入力ボリューム３１〜３４を介しても可能であるし、また、出力ボリューム５１，５２を介しても可能である。
【００２７】
また、スイッチＳＷ１，ＳＷ２がいずれもＯＮの場合には、この音声信号加算装置は、図３に示す従来の音声信号加算装置と同様に、音楽等のコンテンツを内容とする音声信号（音声信号１１と音声信号１２との加算信号）と、肉声等でアナウンスされた内容を含む音声信号（音声信号２１と音声信号２２との加算信号）とを、メイン出力６１と天井出力６２とのいずれにも加算することができるが、図３に示す従来の音声信号加算装置とは違って、出力ボリューム５１は音楽等のコンテンツを内容とする音声信号（音声信号１１と音声信号１２との加算信号）のみの大きさを調整する機能を有しており、また、出力ボリューム５２は肉声等でアナウンスされた内容を含む音声信号（音声信号２１と音声信号２２との加算信号）のみの大きさを調整する機能を有している。
【００２８】
さらに、スイッチＳＷ１がＯＦＦで、スイッチＳＷ２がＯＮの場合には、スイッチＳＷ１，ＳＷ２がいずれもＯＮの場合とは違って、音楽等のコンテンツを内容とする音声信号（音声信号１１と音声信号１２との加算信号）が天井出力６２に加算されない（天井出力６２からカットすることができる）。また、スイッチＳＷ１がＯＮで、スイッチＳＷ２がＯＦＦの場合には、スイッチＳＷ１，ＳＷ２がいずれもＯＮの場合とは違って、肉声等でアナウンスされた内容を含む音声信号（音声信号２１と音声信号２２との加算信号）がメイン出力６１に加算されない（メイン出力６１からカットすることができる）。
【００２９】
図２は、本発明の実施の形態に係る音声信号加算装置の他の回路構成を示す回路図である。図２に示す音声信号加算装置は、図１に示す音声信号加算装置と比べて、パターン切換回路ＰＳＷが追加されており、また、スイッチＳＷ１１，ＳＷ２１は、パターン切換回路ＰＳＷによってもＯＮ／ＯＦＦの制御が可能なスイッチとなっている点を除いては、図１に示す音声信号加算装置と同じである。
【００３０】
一般に、スイッチＳＷ１１，ＳＷ２１は、そのＯＮ／ＯＦＦの組合せにより、４つの状態をとり得るが、パターン切換回路ＰＳＷによって、この４つの状態のうちの幾つかの状態を禁止として、スイッチＳＷ１１，ＳＷ２１の組合せがとり得る状態を３以下に制限することができる。この３以下に制限された状態を、この音声信号加算装置が高い頻度で実際に使用されるパターン化された状況に対応した状態とすることができる。
【００３１】
すなわち、一般に、全てのスイッチ（ここではスイッチＳＷ１１，ＳＷ２１）は、そのＯＮ／ＯＦＦ状態の組合せの各々に対応してパターン化されが、パターン切換回路ＰＳＷは、このパターンを制御（切換え）する回路となっている。
【００３２】
また、このパターン切換回路ＰＳＷは、外部回路から制御できるものとし、さらに、この外部回路を、音声信号１１，１２，２１，２２のうちの少なくともいずれか１つを制御する他の外部回路に含められる回路、または前記と同様の他の外部回路から指示を受ける回路とすることができる。
【００３３】
このパターン切換回路ＰＳＷを、他の外部回路に含められる回路、または前記と同様の他の外部回路から指示を受ける回路とすることにより、入力系統に入力される音声信号の処理に最適な内部回路を、前記音声信号が送出される直前のタイミングまでに再構成しておくことができる。
【００３４】
本実施の形態では、入力系統を、音声信号１１，１２，２１，２２に対応する４つの入力系統とし、また、出力系統を、メイン出力６１と天井出力６２に対応する２つの出力系統としたが、本発明に係る音声信号加算装置では、一般に、任意の数の入力系統と出力系統を構成することができる。
【００３５】
【発明の効果】
以上述べたように、本発明によれば、入力系統と出力系統との接続方法を多様化し、かつ出力側においても出力される音声信号の大きさの調整及び出力される音声信号の大きさの系統間のバランシングが可能な音声信号加算装置を提供することができる。
【図面の簡単な説明】
【図１】本発明の実施の形態に係る音声信号加算装置の回路構成を示す回路図である。
【図２】本発明の実施の形態に係る音声信号加算装置の他の回路構成を示す回路図である。
【図３】従来の音声信号加算装置の回路構成を示す回路図である。
【図４】従来の音声信号加算装置の他の回路構成を示す回路図である。
【符号の説明】
１１，１２  音声信号（音楽等のコンテンツ）
２１，２２  音声信号（肉声等）
３１〜３４  入力ボリューム
５１，５２  出力ボリューム
６１  メイン出力
６２  天井出力
ＰＳＷ  パターン切換回路
ＳＷ１，ＳＷ２  スイッチ
ＳＷ１１，ＳＷ２１  スイッチ
【図１】
0004059315.tif 000002
【図２】
0004059315.tif 000003
【図３】
0004059315.tif 000004
【図４】
0004059315.tif 000005